(57)【要約】【課題】長形状の導光体であっても出射量が長手方向で均一となり、適切な照明効果が得られて使い勝手の良い照明装置を提供すること。【解決手段】長形状で端部に入射面３、長手方向の外周面に出射面４と反射面５を有する導光体６と、この導光体６の入射面３に対向して配置した光源７と、を備え、反射面５には拡散部８が設けられており、拡散部８は、反射面５において、入射面３側からこの入射面３とは遠ざかる方向に延長された長形状とし、拡散部８の延長方向に直交する方向の横幅は、入射面３側から延長方向側に向けて拡大させた照明装置２とした。【選択図】図４
2015111541.tif 000002
【特許請求の範囲】
【請求項１】
長形状で端部に入射面、長手方向の外周面に出射面と反射面を有する導光体と、この導光体の前記入射面に対向して配置した光源と、を備え、前記反射面には拡散部が設けられており、
前記拡散部は、前記反射面において、前記入射面側からこの入射面とは遠ざかる方向に延長された長形状とし、前記拡散部の延長方向に直交する方向の横幅は、前記入射面側から前記延長方向側に向けて拡大させた照明装置。
【請求項２】
前記拡散部の側縁を連続的に傾斜した形状とすることにより、前記拡散部の延長方向に直交する方向の横幅を前記入射面側から前記延長方向側に向けて拡大させた請求項１に記載の照明装置。
【請求項３】
前記導光体の両端面に入射面を設けるとともに、この両入射面に対向してそれぞれ前記光源を設け、前記拡散部の横幅は、前記導光体の中程から両側へ前記両入射面に向かって縮小させた請求項１または２に記載の照明装置。
【請求項４】
前記拡散部は、前記反射面の外面側に印刷により形成した請求項１から３のいずれか一つに記載の照明装置。
【請求項５】
前記拡散部は、その長手方向に沿った両側縁部分に、前記印刷が点状に散在するよう施された散らし印刷領域を有する請求項４に記載の照明装置。
【請求項６】
前記導光体の外周面の一部に、この導光体の長手方向に延長された長形状の出射面を形成し、この出射面に対向する前記導光体の外周面の部分に前記拡散部を設けた請求項１から５のいずれか一つに記載の照明装置。
【請求項７】
前記出射面に対向する前記導光体の外周面の部分は、前記拡散部がその延長方向に直交する方向で湾曲するように凸面、または凹面として形成した請求項６に記載の照明装置。
【請求項８】
前記拡散部は、前記出射面に対向する前記導光体の外周面の部分から側方へと連続的に延びるように形成した請求項６または７に記載の照明装置。
【発明の詳細な説明】
【技術分野】
【０００１】
本発明は、長形状で入射面と出射面を有する導光体を備えた照明装置に関する。
【背景技術】
【０００２】
近年、導光体を用いた照明装置が提案され、脚光を浴びている。
【０００３】
この種の照明装置においては、長形状で端部に入射面、長手方向の外周面に出射面と反射面を有する導光体と、この導光体の前記入射面に対向して配置した光源と、を備え、前記反射面には拡散部が設けられた構成となっていた（例えば、下記特許文献１参照）。
【先行技術文献】
【特許文献】
【０００４】
【特許文献１】特開２００６−１４８９５６号公報
【発明の概要】
【発明が解決しようとする課題】
【０００５】
この種の照明装置においては、光源に通電すると、この光源からの光が導光体の入射面から入射し、次に反射面を通じて長手方向に光が導かれ、また、その途中で、一部が、前記導光体の反射面に設けた拡散部で拡散することで、出射面から出射するようになっている。つまり、長形状の導光体における、長手方向の出射面から光が出射するようになっている。
【０００６】
このような照明装置における課題は、長形状の導光体における出射量が、長手方向で不均一となって、適切な照明効果が得られないという不具合を生じ、使い勝手の悪いものとなるということであった。
【０００７】
すなわち、長形状の導光体では、入射面から遠ざかるほど光量が少なくなるので、これによって入射面から遠い出射面から出射する光量は少なくなり、その結果として、長形状の導光体における出射量が、長手方向で不均一となり、適切な照明効果が得られないという不具合を生じ、照明装置として使い勝手の悪いものとなるのであった。
【０００８】
そこで本発明は、長形状の導光体であっても出射量が長手方向で均一となり、適切な照明効果が得られて使い勝手の良い照明装置を提供することを目的とするものである。
【課題を解決するための手段】
【０００９】
上記目的を達成するために、本発明の照明装置は、長形状で端部に入射面、長手方向の外周面に出射面と反射面を有する導光体と、この導光体の前記入射面に対向して配置した光源と、を備え、前記反射面には拡散部が設けられており、前記拡散部は、前記反射面において、前記入射面側からこの入射面とは遠ざかる方向に延長された長形状とし、前記拡散部の延長方向に直交する方向の横幅は、前記入射面側から前記延長方向側に向けて拡大させたものである。
【００１０】
本発明の照明装置では、前記拡散部の側縁を連続的に傾斜した形状とすることにより、前記拡散部の延長方向に直交する方向の横幅を前記入射面側から前記延長方向側に向けて拡大させることが好ましい。
【００１１】
また、本発明の照明装置では、前記導光体の両端面に入射面を設けるとともに、この両
入射面に対向してそれぞれ前記光源を設け、前記拡散部の横幅は、前記導光体の中程から両側へ前記両入射面に向かって縮小させてもよい。
【００１２】
また、本発明の照明装置では、前記拡散部は、前記反射面の外面側に印刷により形成してもよい。
【００１３】
この場合、前記拡散部は、その長手方向に沿った両側縁部分に、前記印刷が点状に散在するよう施された散らし印刷領域を有することが好ましい。
【００１４】
また、本発明の照明装置では、前記導光体の外周面の一部に、この導光体の長手方向に延長された長形状の出射面を形成し、この出射面に対向する前記導光体の外周面の部分に前記拡散部を設けてもよい。
【００１５】
この場合、前記出射面に対向する前記導光体の外周面の部分は、前記拡散部がその延長方向に直交する方向で湾曲するように凸面、または凹面として形成することが好ましい。
【００１６】
また、この場合、前記拡散部は、前記出射面に対向する前記導光体の外周面の部分から側方へと連続的に延びるように形成することが好ましい。
【発明の効果】
【００１７】
本発明の照明装置では、長形状の導光体であっても出射量が長手方向で均一となり、適切な照明効果が得られて使い勝手の良いものとなる。
【図面の簡単な説明】
【００１８】
【図１】本発明の一実施形態の照明装置を天井部分に取り付けた状態を示す斜視図
【図２】同上の照明装置の外観全体を示す斜視図
【図３】同上の照明装置の光源部分を示す斜視図
【図４】（ａ）は同上の照明装置の導光体を示す斜視図、（ｂ）は同上の照明装置の導光体を示す上面図、（ｃ）は（ｂ）におけるＡ部分を示す拡大図
【図５】同上の照明装置の導光体を示す側面図
【図６】同上の照明装置の導光体の他の例を示す上部拡大側面図
【図７】同上の照明装置の導光体のさらに他の例を示す上部拡大側面図
【図８】同上の照明装置の導光体のさらに別の他の例を示す上部拡大側面図
【発明を実施するための形態】
【００１９】
以下、添付図面に基づいて本発明の一実施形態について説明する。図１において１は浴室で、その天井部分には照明装置２が設置されている。
【００２０】
照明装置２は、図２、図４に示すように、長形状で両端部に入射面３、長手方向の外周面に出射面４と反射面５を有する導光体６と、この導光体６の前記入射面３に対向して配置した図３の光源７と、を備えている。
【００２１】
そして、出射面４が浴室１内に向けて配置されており、この照明装置２の入射面３、反射面５、光源７は浴室１からは確認することが出来ない状態となっている。なお、ここでは、照明装置２がその浴室１内側に乳白色のカバー２１を備えていて、出射面４も浴室１からは視認することが出来ない状態となっている。
【００２２】
導光体６は、例えば、透明な合成樹脂を押出成形したものであって、図４、図５に示す如く、長手方向に直交する方向で切断した断面形状として、その入射面３が示すように、上下方向に長い四角形で、上部は、ほぼ円弧状が連続した曲面（ただし、上面だけは図５
の如く平面）となっており、下部は、上方に凸となった曲面となり、下部の曲面が出射面４となっている。
【００２３】
また、導光体６の両側面の上下方向中程には、外側方へと突出した突条５１が長手方向に沿って形成されている。この場合、突条５１の断面形状は略三角形状であり、その上側面が外下方へと傾斜し、その下側面が略水平であって、この下側面が反射面５として光を拡散部８（後述）へ向けて反射させる。すなわち、突条５１が形成されることで、光は拡散部８（後述）側へ反射しやすくなっている。
【００２４】
また、光源７は、図３に示すように、上下に２個配置されており、この２個の光源７が導光体６の両端の入射面３にそれぞれ対向配置されている。光源７としては、例えば、ＬＥＤのような点光源が採用される。
【００２５】
本実施形態の特徴は、図４に示す如く、導光体６の出射面４に対向する上部で反射面５となった部分に拡散部８を印刷（インク）により形成したことである。この場合、導光体６の外周面のうち、下面が出射面４となってそれ以外の上面及び両側面は反射面５となっているので、この反射面５の上面部分に拡散部８が形成されている。
【００２６】
この拡散部８は、図４から理解されるように、長形状となった導光体６の反射面５において、入射面３側からこの入射面３とは遠ざかる方向に延長された長形状とし、この拡散部８の延長方向に直交する方向の横幅は、入射面３側から拡散部８の延長方向側に向けて拡大されている。ここでは、入射面３から遠ざかるにしたがって拡散部８の横幅が大きくなるように、拡散部８の両側縁が連続的に傾斜した形状となっているが、拡散部８の片側縁だけが傾斜した形状であってもよいし、拡散部８の横幅が入射面３から遠ざかるにしたがって段階的に拡大されていてもよい。
【００２７】
ただし、本実施形態では、導光体６の両端面に入射面３を設けるとともに、各入射面３に対向してそれぞれ光源７を設けているので、拡散部８の横幅は、この導光体６の中程から両側へ両端面の入射面３に向かって縮小された形状となっている。
【００２８】
また、図４（ｃ）に示すように、拡散部８は、その長手方向に沿った両側縁部分に、印刷が点状に散在するよう施された散らし印刷領域８１を有している。導光体６は押出成形されたもので、この押出成形の工程において、拡散部８も形成される。すなわち、押出成形の工程において、押し出されてくる導光体６の表面にインクで印刷を施すことで拡散部８が形成され、その際、飛散するインクによって散らし印刷領域８１も形成される。
【００２９】
また、ここでは、拡散部８を印刷（インク）により形成しているが、拡散部８は、反射面５において、導光体６の長手方向に間隔を置いて配置された複数のレーザ切削溝により形成してもよい。この場合、レーザ切削溝は、長形状となった導光体６の長手方向に対して直交または傾斜して交わる状態となり、レーザ切削溝の直交または傾斜する方向（横幅方向）の長さを導光体６の入射面３から長手方向に遠ざかる程に長くすることで、拡散部８の延長方向に直交する方向の横幅は入射面３側から延長方向側に向けて拡大されることになる。
【００３０】
以上の如く、本実施形態の照明装置２は、長形状で端部に入射面３、長手方向の外周面に出射面４と反射面５を有する導光体６と、この導光体６の入射面３に対向して配置した光源７と、を備えている。そして、反射面５には拡散部８が設けられており、この拡散部８を、反射面５において、入射面３側からこの入射面３とは遠ざかる方向に延長された長形状とし、拡散部８の延長方向に直交する方向の横幅を、入射面３側から拡散部８の延長方向側に向けて拡大させている。そのため、長形状の導光体６であって、入射面３から遠
ざかるほど光量が少なくなっても、その分、拡散部８から拡散される光量が多くなり、その結果として、長形状の導光体６における出射量が、拡散部８の長手方向で均一となり、適切な照明効果が得られて使い勝手の良いものとなる。
【００３１】
また、本実施形態の照明装置２においては、拡散部８の側縁が連続的に傾斜した形状となることにより、入射面３から遠ざかるにしたがって拡散部８の横幅が大きくなっているので、拡散部８から拡散される光量は入射面３から遠ざかるほど連続的に多くなり、長形状の導光体６における出射量が拡散部８の長手方向でより均一となる。
【００３２】
また、本実施形態の照明装置２においては、拡散部８がその長手方向に沿った両側縁部分に、印刷が点状に散在するよう施された散らし印刷領域８１を有しているので、拡散部８の両側縁部分においても十分な光拡散効果が得られ、出射量が増えて長形状の導光体６における光出射効率が向上される。
【００３３】
なお、上記実施形態においては、導光体６の外周面の一部に、この導光体６の長手方向に延長された長形状の出射面４を形成し、この出射面４に対向する導光体６の外周面の部分に拡散部８を設けている。この場合、図５に示す如く、導光体６の下面となる出射面４に対向する部分、つまり上部を平面とし、ここに図４に示す拡散部８を設けているが、この拡散部８の面積をその長手方向に直交する方向に広げるためには、拡散部８を、出射面４に対向する導光体６の外周面の部分から側方へと連続的に延びるように形成することが好ましい。例えば、図６に示すように、導光体６の上部から側面へと延びるように下方に向けて拡散部８を連続的に設けるようにしてもよい。
【００３４】
さらに、拡散部８の面積をその長手方向に直交する方向に広げるためには、出射面４に対向する導光体６の外周面の部分を、拡散部８がその延長方向に直交する方向で湾曲するように形成することが好ましい。例えば、図７に示すように、導光体６の出射面４に対向する外周面部分（上部）に凸面９を設け、ここに拡散部８を設けてもよいし、図８に示すように、導光体６の出射面４に対向する外周面部分（上部）に凹面１０を設け、ここに拡散部８を設けてもよい。
【００３５】
もちろん、図７、図８において、拡散部８は、凸面９、または凹面１０の、この拡散部８の長手方向に直交する方向に超えた部分にまで形成（図６参照）してもよい。
【００３６】
なお、拡散部８は、印刷（インク）やレーザ切削加工による形成に限定されることはなく、サンドブラスト処理、ローレット、ヤスリ（サンドペーパー）などによる表面マット処理によって形成されてもよい。
【符号の説明】
【００３７】
１  浴室
２  照明装置
２１  カバー
３  入射面
４  出射面
５  反射面
５１  突条
６  導光体
７  光源
８  拡散部
８１  散らし印刷領域
９  凸面
１０  凹面
【図１】
2015111541.tif 000003
【図２】
2015111541.tif 000004
【図３】
2015111541.tif 000005
【図４】
2015111541.tif 000006
【図５】
2015111541.tif 000007
【図６】
2015111541.tif 000008
【図７】
2015111541.tif 000009
【図８】
2015111541.tif 000010